(57)【要約】【課題】ユーザの操作に応じてメニュー構造が変化するＧＵＩにおいて、機器を変更しても、ユーザに適したメニュー構造が表示されるようにすることで、ユーザの操作方法理解、機種変更における利便性を向上させた操作メニュー変更装置を提供する。【解決手段】操作メニュー変更装置は、メニュー構造のデータフォーマットに機能毎に難易度、操作回数と習熟度を加え、機能毎にユーザの習熟度を推定する仕組みと、今まで使っていた機器のメニュー構造を読み込む仕組みと、新しい機器のメニュー構造が旧機器のメニュー構造と異なっていても、旧機器における機能の習熟度と新機器の機能ごとの難易度を用いて新機能の習熟度を求め、旧機器でのカスタマイズ結果を生かして新機器のメニュー構造を合成する仕組みとを備える。【選択図】図１
2006331063.tif 000002
【特許請求の範囲】
【請求項１】
メニュー構造を記憶するメニュー構造記憶部と、
メニュー構造の読み込み、書き出しを行うメニュー構造入出力部と、
前記メニュー構造記憶部に記憶されたメニュー構造と前記メニュー構造入出力部により読み込んだメニュー構造を比較し、メニュー構造を合成するメニュー構造合成部と
を備えることを特徴とする操作メニュー変更装置。
【請求項２】
メニュー構造を記憶するメニュー構造記憶部を備え、
前記メニュー構造記憶部に記憶された複数のメニュー構造を比較し、メニュー構造を合成するメニュー構造合成部と
を備えることを特徴とする操作メニュー変更装置。
【請求項３】
前記メニュー構造記憶手段に記憶されたメニュー構造を基に、操作メニューを構築するメニュー画面制御部と、前記メニュー画面制御部によって構築された操作メニューを表示するメニュー画面出力部を備えることを特徴とする請求項１または請求項２記載の操作メニュー変更装置。
【請求項４】
操作メニューの各項目毎に操作に対する難易度を、前記メニュー構造記憶部に記憶されたメニュー構造に持ち、難易度を基に前記メニュー画面制御部において操作メニューの表示方法を変更することを特徴とする請求項３記載の操作メニュー変更装置。
【請求項５】
操作メニューの各項目毎に操作回数を、前記メニュー構造記憶部に記憶されたメニュー構造に持ち、操作回数を基に前記メニュー画面制御部において操作メニューの表示方法を変更することを特徴とする請求項３または請求項４記載の操作メニュー変更装置。
【請求項６】
操作メニューの各項目毎に操作の習熟度を、前記メニュー構造記憶部に記憶されたメニュー構造に持ち、習熟度を基に前記メニュー画面制御部において操作メニューの表示方法を変更することを特徴とする請求項３から請求項５のいずれか一項記載の操作メニュー変更装置。
【請求項７】
操作メニューの各項目毎の習熟度をユーザが手動で設定することを特徴とする請求項６記載の操作メニュー変更装置。
【請求項８】
ユーザの各項目毎の習熟度を推定する習熟度推定部を備え、ユーザの各項目毎の習熟度をユーザの操作履歴から自動で設定することを特徴とする請求項６記載の操作メニュー変更装置。
【請求項９】
前記メニュー構造記憶部に記憶されたメニュー構造をＸＭＬ形式で記憶することを特徴とする請求項１から請求項８のいずれか一項に記載の操作メニュー変更装置。
【請求項１０】
前記メニュー構造合成部でメニュー構造を合成する際に、ユーザがどのメニュー項目を優先するのかを手動で設定することを特徴とする請求項１から請求項９のいずれか一項に記載の操作メニュー変更装置。
【請求項１１】
前記メニュー構造合成部でメニュー構造を合成する際に、合成された各メニュー項目の習熟度を、既に習熟度が設定されたメニュー構造の持つ習熟度で設定することを特徴とする請求項１から請求項１０のいずれか一項に記載の操作メニュー変更装置。
【請求項１２】
操作メニューの各項目を機能毎にグループとしてまとめ、各グループ毎に、グループの習熟度を前記メニュー構造記憶部に記憶されたメニュー構造に持つことを特徴とする請求項１から請求項１１のいずれか一項に記載の操作メニュー変更装置。
【請求項１３】
前記メニュー構造合成部でメニュー構造を合成する際に、合成されたメニュー項目に対応するメニュー項目が既に習熟度が設定されたメニュー構造に無い場合に、メニュー項目の属するグループの持つ習熟度で設定することを特徴とする請求項１２記載の操作メニュー変更装置。
【請求項１４】
前記メニュー構造合成部でメニュー構造を合成する際に、合成されたメニュー項目に対応するメニュー項目が既に習熟度が設定されたメニュー構造に無い場合に、メニュー項目の属するグループと同じグループのメニュー項目のうち、難易度の近いメニュー項目の持つ習熟度で設定することを特徴とする請求項１２記載の操作メニュー変更装置。
【請求項１５】
前記メニュー画面制御部において、前記メニュー構造記憶部に記憶されたメニュー項目のうち習熟度と比較して難易度の高い項目は、表示しないことでユーザが自分には理解できないようなメニュー項目を選択して混乱してしまうのを避けることができるように、操作メニューの表示方法を変更することを特徴とする請求項３から請求項１４のいずれか一項に記載の操作メニュー変更装置。
【請求項１６】
前記メニュー画面制御部において、前記メニュー構造記憶部に記憶されたメニュー項目のうち習熟度と比較して難易度の高い項目は、半透明で表示することでユーザが自分には理解できないようなメニュー項目を選択して混乱してしまうのを避けることができるように、操作メニューの表示方法を変更することを特徴とする請求項３から請求項１４のいずれか一項に記載の操作メニュー変更装置。
【請求項１７】
前記メニュー画面制御部において、前記メニュー構造記憶部に記憶されたメニュー項目のうち習熟度と比較して難易度の高い項目は、大きさを変えて表示することでユーザが自分には理解できないようなメニュー項目を選択して混乱してしまうのを避けることができるように、操作メニューの表示方法を変更することを特徴とする請求項３から請求項１４のいずれか一項に記載の操作メニュー変更装置。
【請求項１８】
前記メニュー画面制御部において、前記メニュー構造記憶部に記憶されたメニュー項目のうち習熟度と比較して難易度の高い項目は、アニメーション技術により動きを変えて表示することでユーザが自分には理解できないようなメニュー項目を選択して混乱してしまうのを避けることができるように、操作メニューの表示方法を変更することを特徴とする請求項３から請求項１４のいずれか一項に記載の操作メニュー変更装置。
【請求項１９】
前記メニュー画面制御部において、前記メニュー構造記憶部に記憶されたメニュー項目のうち習熟度と比較して難易度の高い項目は、配置する位置を変えて表示することでユーザが自分には理解できないようなメニュー項目を選択して混乱してしまうのを避けることができるように、操作メニューの表示方法を変更することを特徴とする請求項３から請求項１４のいずれか一項に記載の操作メニュー変更装置。
【請求項２０】
操作メニュー変更装置の集積回路であって、前記操作メニュー変更装置は、メニュー構造を記憶するメニュー構造記憶部と、
メニュー構造の読み込み、書き出しを行うメニュー構造入出力部とを備えることを特徴とし、前記集積回路は、前記メニュー構造記憶部に記憶されたメニュー構造と前記メニュー構造入出力部により読み込んだメニュー構造を比較し、メニュー構造を合成するメニュー構造合成部とを備えることを特徴とする集積回路。
【発明の詳細な説明】
【技術分野】
【０００１】
本発明は、操作メニューを表示する機能を有する携帯電話やＤＴＶ、ＤＶＤ／ＨＤＤレコーダー、ＰＤＡ等のデジタル家電機器に関し、特に、ユーザによって使いやすいようにカスタマイズされた操作メニューを表示する機能を有する操作メニュー変更装置に関するものである。
【背景技術】
【０００２】
近年、ＡＶ機器や携帯電話などの多機能化、複雑化が進んでいる。そのため、メニュー項目の増加や、多階層化が進み、初心者には操作方法が難しく、機能を把握するのが困難となっている。
【０００３】
また携帯電話の機種変更など、機器を買い換えたりすると、それまでの機器とは、メニュー構造が異なり、操作方法を理解できない、機能を把握できないといった問題がある。
【０００４】
そこで、ユーザのメニュー項目の判断時間を元に、機器の習熟度を求め、習熟度によってメニューを初心者用／熟練者用に切り替える方法が開示されている（例えば、特許文献１参照）。
【特許文献１】特開２００２−２２９７００号公報
【発明の開示】
【発明が解決しようとする課題】
【０００５】
しかしながら、上述した従来の操作メニュー切替え装置では、機器ごとの習熟度しか持たないため、機器を変更したときに、習熟度を再度、計測・判定しなければならず、ユーザに適したメニューを移行することができない、という問題がある。
【０００６】
本発明は、前記課題に鑑み、習熟度に応じてメニュー構造が変化するＧＵＩにおいて、機器を変更しても、ユーザに適したメニュー構造が表示されるようにすることで、ユーザの操作方法理解、機種変更における利便性を向上させた操作メニュー変更装置を提供することを目的とする。
【課題を解決するための手段】
【０００７】
前記課題を解決するために、本発明に係る操作メニュー変更装置は、メニュー構造のデータフォーマットに機能毎に難易度、操作回数と習熟度を加え、機能毎にユーザの習熟度を推定する仕組みと、今まで使っていた機器のメニュー構造を読み込む仕組みと、新しい機器のメニュー構造が旧機器のメニュー構造と異なっていても、旧機器における機能の習熟度と新機器の機能ごとの難易度を用いて新機能の習熟度を求め、旧機器でのカスタマイズ結果を生かして新機器のメニュー構造を合成する仕組みとを備えることを特徴とする。
【０００８】
従って、操作メニュー変更装置の画面にユーザのカスタマイズ結果、習熟度に応じたメニューを表示でき、ユーザは多くの機能に関するメニュー項目から、自分に必要な項目、使いやすいようにカスタマイズしたメニュー項目が表示されるので、ユーザの機種変更時の操作方法理解や利便性を高めることが出来る。
【０００９】
尚、本発明は、上述のようなデジタル家電全般に対して実現できるのみではなく、この端末機器が備える手段をステップとする操作メニュー変更方法、この操作メニュー変更方法をコンピュータ等で実現させるプログラムとして実現したりすることができる。そして、当該プログラムをＣＤ−ＲＯＭ等の記録媒体や通信ネットワーク等の伝送媒体を介して流通させることができるのは言うまでもない。
【発明の効果】
【００１０】
以上のように本発明に係る操作メニュー変更装置のユーザは画面にユーザのカスタマイズ結果、習熟度に応じた操作メニューを表示でき、ユーザは多くのメニュー項目から自分に必要な項目のみが表示されるので、操作メニューの操作効率を高めることが可能となる。
【発明を実施するための最良の形態】
【００１１】
以下、本発明の実施の形態に係る操作メニュー変更装置について図面を用いて説明する。尚、本発明に係る操作メニュー変更装置は、例えば、携帯電話機、テレビ、ＤＶＤ／ＨＤＤレコーダー、ＰＤＡ、カーナビゲーション装置、或いはデジタル家電機器全般である。
【００１２】
図１は、本実施の形態に係る操作メニュー変更装置１００の機能構成の一例を示すブロック図である。操作メニュー変更装置１００は、メニュー構造記憶部１１０、メニュー画面制御部１２０、メニュー画面出力部１３０、操作入力部１４０、習熟度推定部１５０、メニュー構造入出力部１６０、及びメニュー構造合成部１７０により構成される。以下詳細の説明を行う。
【００１３】
尚、本実施の形態に係る操作メニュー変更装置１００は、操作メニューを表示するための画面を有し、ユーザ操作から機器の習熟度を推定し、ユーザの習熟度に応じた操作メニューを表示することを第１の特徴とし、ユーザの習熟度を基に変更したメニュー構造を他の機器においてもユーザの特性に応じた操作メニューを表示することを第２の特徴とする。
【００１４】
図１に示すメニュー構造記憶部１１０は、機器のメニュー構造を記憶する。ここで、メニュー構造は図２に示したように、機能ＩＤ、グループＩＤ、タイプ、メニュー項目名称、難易度、操作回数、習熟度が含まれる。これ以外にも、例えばユーザのお気に入り度や、機器におけるその機能の重要性から予め設定された優先度などが考えられる。また、各操作項目をどのように表示するのかを識別する、例えば文字で表示する場合は０、アイコンなど画像で表示する場合は１などを記述するＩＤが含まれてもよいし、操作入力部１４０に複数の入力手段、例えば複数のボタンなどがある場合に、どのボタンを操作した場合に操作項目が選択されるのか対応を記述するＩＤが含まれても良い。機能ＩＤとは、それぞれのメニュー項目に固有の識別子で、例えば０，１，２，…などの連番である。グループＩＤとはそれぞれのメニュー項目のグループ毎につけられた識別子で、例えば図２のメニュー構造の例に示したように「メール設定」機能であれば、”４”、「カメラ」機能であれば、”３”のような数字である。ただし、各ＩＤは数字として説明したが、必ずしも数字である必要は無く、文字でも色でも形でもかまわない。メニュー項目名称は各操作メニュー項目の名前である。メニュー項目名称は、図のメニュー構造例では文字としているが、必ずしも文字に縛られることは無く、画像でもかまわないし、例えば音声によるガイダンスや動画による操作メニュー項目の説明でもかまわない。この場合は例えばメニュー項目名称として、画像ファイル、音声ファイル、動画ファイルのファイル名を用いることが考えられる。メニュー構造記憶部はメニュー構造を例えば図２のような表形式のデータとして記憶しても良いし、図３のような一般的に用いられているＸＭＬ形式で記憶しても良い。
【００１５】
図１に示すメニュー画面制御部１２０はメニュー構造記憶部１１０に記憶されたメニュー構造を基に、操作入力部１４０によるユーザの操作に応じて例えば図４に示すようなＧＵＩとして、画面に表示するメニュー項目名称をメニュー画面出力部１３０にわたす。この時、メニュー制御部１２０はメニュー構造データに記述された順にメニュー項目を表示する以外に、例えば各メニュー項目の操作回数に基づき、操作回数の多いメニュー項目はユーザにとって操作しやすい位置、例えば図５のようにメニューの上位に表示するといった表示方法が考えられる。また難易度に基づき、難易度の高いメニュー項目は優先度を下げて、例えばある難易度以上の項目は図６のように表示しない、不用意に選択し混乱しないよう図７のように薄い色、半透明など表示する、また機能ごとに異なる色で表示する、図８のように小さく表示する、図９のように他のメニュー項目とは異なる位置に表示する、アニメーション技術を使って異なる動きで表示するなどの表示方法が考えられる。また、習熟度に基づき、難易度の高い機能の項目であっても、ユーザの習熟度に応じて、表示されていなかった項目が表示されるようになるなど表示方法を変えることも考えられる。
【００１６】
図１に示すメニュー画面出力部１３０はメニュー画面制御部１２０によって選択されたメニュー項目名称を例えばＣＲＴや液晶ディスプレイの画面に出力する。
【００１７】
図１に示す操作入力部１４０は、例えば携帯電話やリモコンなどで一般的に使われている十字キーや決定キーと呼ばれる選択操作のための入力装置である。それぞれのキー毎に個別のキーコードを保持しており、例えば上キーであれば００１、下キーであれば００２といったキーコードを習熟度推定部１５０に送ることでユーザの操作を習熟度推定部１５０、またメニュー画面制御部１２０へユーザの操作を伝える。
【００１８】
図１に示す習熟度推定部１５０は、操作入力部１４０によるユーザの操作を、メニュー構造記憶部１１０に記憶されたメニュー構造に含まれる操作回数、ユーザの各操作メニュー項目ごとの操作回数といった履歴情報と、現在の習熟度から例えば操作回数が多いメニュー項目の習熟度を上げたり、難易度が低い操作メニュー項目の操作回数が多い場合は、習熟度を大きく上昇したり、難易度が高い操作メニュー項目の操作回数が多い場合は操作に習熟していないと判断し習熟度の上昇を小さくしたりすることで、各機能毎の習熟度を推定し、メニュー構造記憶部１１０に記憶された習熟度を更新する。また、ユーザの機能ごとの習熟度から機能の分類のうち苦手な分野を推定し、苦手機能の難易度を更新することも考えられる。推定の手法としては、例えば単純に、操作回数が多い機能は既に習熟したとみなし、操作回数が少ない機能についてはまだ習熟していないと判断するといった方法も考えられる。
【００１９】
図１に示すメニュー構造入出力部１６０は、メニュー構造記憶部１１０に記憶されたメニュー構造データの入出力処理を行う。例えばメニュー構造データを図３のようなＸＭＬ形式のファイルとして一般的なファイル書き込み処理により出力する。また、逆にＸＭＬ形式のメニュー構造ファイルを一般的なファイル読み込み処理により読み込み、メニュー構造記憶部１１０に記憶する。入出力は、例えば携帯電話やネット家電機器のような通信手段を備えた機器であれば通信によって機器間で送受信を行ったり、ネット上のサイトからダウンロードしてもよい。また、ＳＤカードやＣＤ−ＲＯＭ、その他記録メディアを用いてメニュー構造データの入出力を行ってもよい。
【００２０】
図１に示すメニュー構造合成部１７０は、メニュー構造入出力部１６０によって入力された新しいメニュー構造データと、メニュー構造記憶部１１０に記憶されたメニュー構造データとの合成を行う。合成の手法としては単純にメニュー構造記憶部１１０に記憶されたメニュー構造データをメニュー構造入出力部１６０によって入力されたメニュー構造データによって上書きしてしまう方法も考えられるし、操作入力部１４０によってユーザがどのメニュー構造データを用いるか選択することもできる。また各メニュー項目のグループＩＤと項目ごとの機能ＩＤから、メニュー項目毎にユーザが新しいメニュー構造データによって上書きするのか、上書きしないのかを選択することもできるし、今までに使ってきた機器のメニュー構造データに含まれる難易度、操作回数、習熟度と、新しいメニュー構造データの難易度を基に自動的に、ユーザに適したメニュー構造データになるよう合成する手法も考えられる。
【００２１】
例として、ユーザの操作によって、メニュー構造記憶部に記憶したメニュー構造データの操作回数や習熟度が更新され、ユーザに適したメニューが表示される操作メニュー変更装置から、メニュー構造入出力部でメニュー構造を出力し、新しい操作メニュー変更装置のメニュー構造入出力部で、メニュー構造データを読み込む場合のメニュー構造データの合成方法を説明する。
【００２２】
図１０に操作メニュー変更装置Ａのメニュー構造を示す。図１０の枠１０１０はメニュー構造データの機能グループ１を示したもので、１０１１はグループ１０１０のメニュー項目名称、難易度、操作回数、習熟度を示したものである。同様に、１０２０は機能グループ２に属する操作メニュー項目を示したもので、１０２１は機能グループ２のメニュー項目名称、難易度、操作回数、習熟度を示したものである。同様に、１０３０は機能グループ３に属する操作メニュー項目を示したもので、１０３１は機能グループ３のメニュー項目名称、難易度、操作回数、習熟度を示したものである。操作メニュー変更装置Ａはユーザが普段使用している機器であり、ユーザの操作によって操作履歴から操作回数や習熟度が更新されている。図１１に操作メニュー変更装置Ｂのメニュー構造を示す。図１０と同様に、図１１の枠１１１０はメニュー構造データの機能グループ１を示したもので、１１１１はグループ１１１０のメニュー項目名称、難易度、操作回数、習熟度を示したものであり、１１２０は機能グループ２に属する操作メニュー項目を示したもので、１１２１は機能グループ２のメニュー項目名称、難易度、操作回数、習熟度を示したものである。同様に、１１３０は機能グループ３に属する操作メニュー項目を示したもので、１１３１は機能グループ３のメニュー項目名称、難易度、操作回数、習熟度を示したものである。操作メニュー変更装置Ｂは、まだユーザが操作していない新しい機器であり、操作回数、習熟度ともに０である。操作メニュー変更装置Ｂのメニュー構造入出力部から操作メニュー変更装置Ａの操作メニューを入力し、操作メニュー変更装置Ｂの操作メニューと、ユーザにとって使いやすいようカスタマイズされた操作メニュー変更装置Ａのメニュー構造を合成する。操作メニュー変更装置Ａと操作メニュー変更装置Ｂはそれぞれのメニュー構造データのグループＩＤ、各項目ごとの機能ＩＤを共通にしている。例えば図３に示したように「文字サイズ設定」のメニュー項目の機能ＩＤは操作メニュー変更装置Ａ、操作メニュー変更装置Ｂともに、４０２である。したがって、操作メニュー変更装置Ａと操作メニュー変更装置Ｂとに共通する機能であれば、図１３に示したように操作メニュー変更装置Ｂのメニュー構造の各項目ごとの操作回数、習熟度を操作メニュー変更装置Ａの操作回数、習熟度により更新することができる。また、操作メニュー変更装置Ｂに操作メニュー変更装置Ａに無い、新しいメニュー項目がある場合、対応するメニュー項目の機能ＩＤが存在しないため、操作メニュー変更装置Ｂのメニュー項目の操作回数、習熟度を更新することができない。その場合は図１５に示すように、そのメニュー項目の属するグループのＩＤと同じグループＩＤをもつグループが操作メニュー変更装置Ａのメニュー構造データに含まれるか検索し、同じグループＩＤを持つグループがあれば、そのグループの習熟度を操作メニュー変更装置Ｂのメニュー項目の習熟度とする。もし、同じグループＩＤを持つグループが操作メニュー変更装置Ａに無い場合は、操作メニュー変更装置Ｂのさらに上位階層のグループＩＤと同じグループＩＤを持つグループが操作メニュー変更装置Ａのメニュー構造データに含まれるか検索する処理を繰り返す。もちろん、繰り返す回数を制限し、対応するメニュー項目がない場合は習熟度を０としても良い。以上の処理により操作メニュー変更装置Ｂの各メニュー項目の習熟度は、操作メニュー変更装置Ａでユーザの操作によって更新された習熟度により更新される。またこれ以外にも、操作メニュー変更装置Ｂのメニュー項目と同じメニュー項目が操作メニュー変更装置Ａにない場合に、メニュー項目の属するグループと同じグループＩＤを持つ操作メニュー変更装置Ａのグループに属するメニュー項目から、最もメニュー項目の難易度の近い項目の持つ習熟度を、操作メニュー変更装置Ｂのメニュー項目の習熟度とすることも考えられる。
【００２３】
なお、メニュー画面制御部１２０、習熟度推定部１５０、メニュー構造合成部１７０の各機能ブロックは典型的には集積回路であるＬＳＩとして実現されてもよい。これらは個別に１チップ化されてもよいし、一部または全てを含むように１チップ化されてもよい。
【００２４】
ここではＬＳＩとしたが集積度の違いによりＩＣ、システムＬＳＩ、スーパーＬＳＩ、ウルトラＬＳＩと呼称されることもある。また集積回路化の手法はＬＳＩだけに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。さらには、半導体技術の進歩または派生する別技術によりＬＳＩに置き換わる集積回路化の技術が登場すれば、当然その技術を用いて機能ブロックの集積化を行ってもよい。バイオ技術や量子科学技術の適応等が可能性としてありうる。
【００２５】
以上により、今まで使ってユーザにとって使いやすいようにメニュー構成が更新された操作メニュー変更装置のメニュー構造が新しく使用する操作メニュー変更装置においても、再現され、ユーザは使い慣れた機器と同じ操作で新しい機器を使用することができ、機器変更時の操作方法の理解や、利便性が向上した操作メニュー変更装置を実現することができる。
【００２６】
また、以上の実施の形態の説明においては、上述した実施の形態に係る説明は例示であり、本発明は実施の形態の使用形態に限定されるものではなく、その適用可能な範囲において本発明を使用することができるのは言うまでもない。
【産業上の利用可能性】
【００２７】
本発明に係る操作メニュー変更装置は、操作メニューを表示する機能を有する操作メニュー表示装置に関し、特に携帯電話機、ＤＴＶ、ＤＶＤ／ＨＤＤレコーダー、ＰＤＡ、カーナビゲーション装置、表示画面を有するデジタル家電全般に適用できる。
【図面の簡単な説明】
【００２８】
【図１】実施の形態に係る操作メニュー変更装置の機能構成の一例を示すブロック図
【図２】実施の形態に係る操作メニュー変更装置のメニュー構造記憶部に記憶されたメニュー構造のデータテーブルを示す図
【図３】実施の形態に係る操作メニュー変更装置のメニュー構造記憶部に記憶されたメニュー構造のＸＭＬフォーマット形式による記述例を示す図
【図４】実施の形態に係る操作メニュー変更装置の操作メニュー表示例を示す図
【図５】実施の形態に係る操作メニュー変更装置の操作メニューを操作回数に基づき表示した例を示す図
【図６】実施の形態に係る操作メニュー変更装置の操作メニューを難易度に基づきある難易度以上の項目を表示しないようにした表示例を示す図
【図７】実施の形態に係る操作メニュー変更装置の操作メニューを難易度に基づきある難易度以上の項目を薄色、半透明で表示するようにした表示例を示す図
【図８】実施の形態に係る操作メニュー変更装置の操作メニューを難易度に基づきある難易度以上の項目を小さく表示するようにした表示例を示す図
【図９】実施の形態に係る操作メニュー変更装置の操作メニューを難易度に基づきある難易度以上の項目を異なる位置に表示するようにした表示例を示す図
【図１０】実施の形態に係る操作メニュー変更装置Ａの操作メニュー構造の例を示す図
【図１１】実施の形態に係る操作メニュー変更装置Ｂの操作メニュー構造の例を示す図
【図１２】実施の形態に係る操作メニュー変更装置ＡとＢのメニュー項目の対応を示したデータテーブルを示す図
【図１３】実施の形態に係る操作メニュー変更装置Ｂの操作メニュー構造を操作メニュー変更装置Ａのメニュー構造データによって更新した例を示す図
【図１４】実施の形態に係る操作メニュー変更装置Ｂの新機能の操作メニュー構造の習熟度を、操作メニュー変更装置Ａのメニュー構造データの習熟度によって更新した例を示す図
【図１５】実施の形態に係る操作メニュー変更装置Ｂの新機能の操作メニュー構造の習熟度を、操作メニュー変更装置Ａのメニュー構造データの習熟度によって更新する処理を示すフローチャート
【符号の説明】
【００２９】
１００    操作メニュー変更装置
１１０    メニュー構造記憶部
１２０    メニュー画面制御部
１３０    メニュー画面出力部
１４０    操作入力部
１５０    習熟度推定部
１６０    メニュー構造入出力部
１７０    メニュー構造合成部
【図１】
2006331063.tif 000003
【図２】
2006331063.tif 000004
【図３】
2006331063.tif 000005
【図４】
2006331063.tif 000006
【図５】
2006331063.tif 000007
【図６】
2006331063.tif 000008
【図７】
2006331063.tif 000009
【図８】
2006331063.tif 000010
【図９】
2006331063.tif 000011
【図１０】
2006331063.tif 000012
【図１１】
2006331063.tif 000013
【図１２】
2006331063.tif 000014
【図１３】
2006331063.tif 000015
【図１４】
2006331063.tif 000016
【図１５】
2006331063.tif 000017